(57)【要約】      （修正有）【課題】バッグとホルダを別体にすることなく、バッグ自体に傘を保持させる機能を付加し、座席に着席中に傘を手で持つ必要を無くしたホルダ付きバッグを提供する。【解決手段】バッグ１０の底面１１にバッグ１０の側面を下にしたときに傘や杖等の長尺物３００を起立させた状態で保持する保持ベルト６を備えたホルダ２０を設ける。さらに、ホルダ２０は、バッグ１の底面１１に取り付けられた被係合部材３と、一方側の端部がバッグ１の底面１１に固定されると共に、他端側には被係合部材３に対して脱着可能に係合する係合部材５が取り付けられた保持ベルト６とを備えてなる。【選択図】図２
0003165787.tif 000002
【実用新案登録請求の範囲】
【請求項１】
バッグの底面に該バッグの側面を下にしたときに傘や杖等の長尺物を起立させた状態で保持する保持ベルトを備えたホルダを設けたことを特徴とするホルダ付きバッグ。
【請求項２】
請求項１に記載のホルダ付きバッグにおいて、
前記ホルダは、
前記バッグの底面に取り付けられた被係合部材と、
一方側の端部が前記バッグの底面に固定されると共に、他端側には前記被係合部材に対して脱着可能に係合する係合部材が取り付けられた保持ベルトと、
を備えてなることを特徴とするホルダ付きバッグ。
【請求項３】
請求項２に記載のホルダ付きバッグにおいて、
前記係合部材及び前記被係合部材は面ファスナーであることを特徴とするホルダ付きバッグ。
【請求項４】
請求項１から３のいずれか１項に記載のホルダ付きバッグにおいて、
前記保持ベルトは、伸縮性を備えたベルトであることを特徴とするホルダ付きバッグ。
【請求項５】
請求項１から４のいずれか１項に記載のホルダ付きバッグにおいて、
前記底面には複数の底鋲が分散させて配置され、該底鋲の高さは前記ホルダの前記底面からの最大厚み以上とされていることを特徴とするホルダ付きバッグ。
【請求項６】
請求項１から５のいずれか１項に記載のホルダ付きバッグにおいて、
少なくとも前記バッグの底面及び前記ホルダが撥水加工されていることを特徴とするホルダ付きバッグ。
【考案の詳細な説明】
【技術分野】
【０００１】
本考案は、傘や杖等の長尺物を一時的に保持できる機能を備えたホルダ付きバッグに関し、特に、電車やバス等の乗り物の椅子等に腰掛けた際に膝上に横置きされたバッグの底面部分で傘や杖等の長尺物を起立させた状態で保持することで、利用者が傘や杖等の長尺物を常に手で持っていなければならないという不便さを解消したホルダ付きバッグに関する。
【背景技術】
【０００２】
雨天等のためにバッグと傘を同時に持参して外出するような場合、一方の手でバッグを持ち他方の手で傘を持つというスタイルになる。歩行中は特に問題にならないが、例えば、電車やバス等の乗り物に乗車して座席に座ったときに傘の置き場に困ることがある。通常、一方の手は膝に載せたバッグ(手提げバッグ、ショルダーバッグ等)を保持し、他方の手は傘を立てた状態で持っている。折りたたみ式の傘であれば、雨による濡れが少ないときには折りたたんでバッグの上に置いたりバッグの中に収納したりすることができるが、濡れが酷い場合にはそのようなことはできない。また、折りたためない長傘の場合には、傘を直立させた状態で手で持ち続けなければならない。このような状態では、少なくとも傘を持っている手は自由にできないため、車内で本や新聞等を読みたい場合にとても不都合となる。
【０００３】
そのため、濡れた傘を一時的に収納保持袋に入れ、この収納保持袋をバッグの把手に係着することで、傘を持っていた手を自由にし、且つ、衣服が濡れたり床が濡れたりするのを防止できるようにした折りたたみ傘収納保持袋（以下、単に傘収納保持袋という）が提案されている（特許文献１）。この傘収納保持袋１００は、図４に示すように、把手２０１ａ，２０１ｂを備えたバッグ２００に取り付けて使用するものである。すなわち、傘収納保持袋１００は、概略として、ベルト受け部１０１と、このベルト受け部１０１の一端に連結されると共にベルト受け部１０１の他端に固着具１０２によって取り付けられた長傘用ベルト１０３と、その両側に取り付けられてバッグ２００の把手２０１ａ，２０１ｂに引っ掛けられる一対のベルト１０４ａ，１０４ｂとを備えて構成されている。
【０００４】
傘収納保持袋１００の使用法について説明すると、利用者は予め傘収納保持袋１００をバッグ２００に収納した状態で外出する。電車やバス等の乗り物に乗車したとき、座席に座った利用者は傘収納保持袋１００をバッグ２００内から取り出し、ベルト１０４ａ，１０４ｂを図４に示すようにバッグ２００の把手２０１ａ，２０１ｂに取り付ける。次いで、ベルト受け部１０１及び長傘用ベルト１０３を図４のようにバッグ２００の底面に傘３００を立てた状態で位置決めする。そして、傘３００をベルト受け部１０１に当てがい、その状態のまま長傘用ベルト１０３を固着具１０２によってベルト受け部１０１に固定する。これにより、傘３００は傘収納保持袋１００によって位置決めされ、倒れることがないので、それまで傘３００を持っていた手が自由になる。
【先行技術文献】
【特許文献】
【０００５】
【特許文献１】特開２００７−１６７５９５号公報
【考案の概要】
【考案が解決しようとする課題】
【０００６】
しかし、上述した傘収納保持袋はバッグとは別体なので傘収納保持袋を持参しないで外出した場合には全く役に立たない。また、バッグ２００の側面の長さは個々のバッグによって異なるのでベルト１０４ａ，１０４ｂの長さはバッグの側面の長さに応じていちいち調整しなければ傘が所定の位置で保持することができないという問題がある。さらに、ベルト受け部１０１及び長傘用ベルト１０３はベルト１０４ａ，１０４ｂによってぶら下げた状態になるため、傘３００が左右に動き易くなり、傘３００の保持位置が不安定になるという問題がある。
【０００７】
そこで、本考案の目的は、バッグと傘収納部を別体にすることなく、バッグ自体に傘や杖等の長尺物を保持させる機能を付加し、座席に着席中に傘や杖等の長尺物を手で持つ必要を無くしたホルダ付きバッグを提供することにある。
【課題を解決するための手段】
【０００８】
上記目的を達成するため、請求項１に記載の本考案は、バッグの底面に該バッグの側面を下にしたときに傘や杖等の長尺物を起立させた状態で保持する保持ベルトを備えたホルダを設けたことを特徴とするホルダ付きバッグを提供する。
【０００９】
上記目的を達成するため、請求項２に記載の本考案は、請求項１に記載のホルダ付きバッグにおいて、ホルダは、バッグの底面に取り付けられた被係合部材と、一方側の端部がバッグの底面に固定されると共に、他端側には被係合部材に対して脱着可能に係合する係合部材が取り付けられた保持ベルトとを備えてなることを特徴とする。
【００１０】
上記目的を達成するため、請求項３に記載の本考案は、請求項２に記載のホルダ付きバッグにおいて、係合部材及び被係合部材は面ファスナーであることを特徴とする。
【００１１】
上記目的を達成するため、請求項４に記載の本考案は、請求項１から３のいずれか１項に記載のホルダ付きバッグにおいて、保持ベルトは、伸縮性を備えたベルトであることを特徴とする。
【００１２】
上記目的を達成するため、請求項５に記載の本考案は、請求項１から４のいずれか１項に記載のホルダ付きバッグにおいて、底面には複数の底鋲が分散させて配置され、底鋲の高さはホルダの底面からの最大厚み以上とされていることを特徴とする。
【００１３】
上記目的を達成するため、請求項６に記載の本考案は、請求項１から５のいずれか１項に記載のホルダ付きバッグにおいて、少なくともバッグの底面及びホルダが撥水加工されていることを特徴とする。
【考案の効果】
【００１４】
本考案のホルダ付きバッグによれば、バッグ本体に傘や杖等の長尺物を保持するためのホルダを一体化して設けたので、バッグの底面に傘や杖等の長尺物を保持させることができるので電車やバスに着席中に傘を手で持つ必要が無くなるという効果がある。これにより、例えば、傘を持つべき手が自由になるので傘を持った外出であっても本や新聞等を自由に読むことができるという効果がある。また、バッグ及びホルダは撥水加工がなされているのでバックが濡れて水がしみ込むことはない。また、ホルダをバッグと一体化して設けたのでホルダを忘れるということがない。
【図面の簡単な説明】
【００１５】
【図１】本考案に係るホルダ付きバッグの実施形態を示す斜視図である。
【図２】ホルダ付きバッグに傘を保持させた状態の斜視図である。
【図３】ホルダの他の構成を示す斜視図である。
【図４】従来の傘収納保持袋を示す斜視図である。
【考案を実施するための形態】
【００１６】
［ホルダ付きバッグの構成］
以下、本考案に係るホルダ付きバッグについて、好ましい一実施形態に基づいて詳細に説明する。図１は本考案に係るホルダ付きバッグの実施形態を示す斜視図である。図示されたホルダ付きバッグ１０は、把手２ａ，２ｂを備えたバッグ本体１と、被係合部材である第一の面ファスナー３が表面に設けられ、且つ、バッグ本体１の底面１１の長手方向の一方側の側部に設けられたベルト保持具４と、一端がベルト保持具４とは反対側の側部の底面１１に固定され、且つ、他端が当該他端に設けられた係合部材である第二の面ファスナー５によってベルト保持具４の第一の面ファスナー３に着脱自在に結合可能な保持ベルト６とを備えて構成されている。ここで、ベルト保持具４、第一の面ファスナー３、第二の面ファスナー５及び保持ベルト６はホルダ２０を形成する。尚、「保持ベルト６」，「ホルダ２０」は傘３００を保持することだけに限定されるものではなく、広く「杖」、「ゴルフクラブ」、「バット」などの長尺物を保持の対象とするものである。
【００１７】
第二の面ファスナー５とベルト保持具４とは、その当接面の一方に繊維によるフックが設けられ、また、他方に繊維によるループが設けられており、両者が絡み合うことによって強固に結合し、保持ベルト６の他端を引き剥がすことによって両者を分離できるようになっている。尚、保持ベルト６の長さや第一の面ファスナー３又は第二の面ファスナー５を適宜の長さとすることによって、傘３００の太さの違いに対応させることもでき、また、複数本の傘３００を同時に保持させることも可能となるので同行者等の傘３００もホルダ付きバッグ１０に同時に保持させることもできる。
【００１８】
バッグ本体１は、不織布、ナイロン、皮革、コットン（帆布、綿、キャンパス等）等の素材を所定の形状に裁断し、これを縫製することによって作られている。そして、少なくとも底面１１及びホルダ２０は濡れた傘３００に付着している水が浸み込まないように撥水処理が施されている。ここで、撥水処理には撥水性の素材を用いることも含む。一方、底面１１には、長手方向の両側端部近傍に補強ベルト１２ａ，１２ｂを介して複数（本実施形態では４つ）の底鋲１３，１３が取り付けられている。そして、底鋲１３，１３の先端面から底面１１までの高さを保持ベルト６の表面までの高さ（厚み）より高くなるようにしておけば、ホルダ付きバッグ１０を床等に置いても倒れ難くなると共に保持ベルト６が直接底面と接することによる磨耗を防止することができる。尚、バッグ本体１は、手提げタイプ、ショルダータイプ等、各種のものを採用可能であり、特に限定されるものではない。
【００１９】
上記実施形態ではベルト保持具４と保持ベルト６との結合を第一の面ファスナー３と第二の面ファスナー５とにより行うものとしたが、他の手段、例えば、図３（ａ）に示すように、ホック１４とスナップ１５によって行ってもよい。尚、ホック１４は保持ベルト６の配設方向に沿って複数設ければ傘３００の太さに対応することができると共に複数本の傘３００を保持させることも可能となる。また、図３（ｂ）に示すように、第一，第二の面ファスナー３，５、ベルト保持具４及び保持ベルト６からなるホルダ２０に代えて保持ベルト６を伸縮性を備えた素材によって形成することもできる。伸縮性を備えた素材としては、例えば、ゴムがあり、保持ベルト６をゴムベルト１６とした構成としてもよい。この場合、ゴムベルト１６は底面１１との間に挿入された傘３００に対して適度な張力が加わる弾力性を出せるように取り付ける。
【００２０】
［ホルダ付きバッグの使用方法］
次に、図１に示す構成のホルダ付きバッグ１０の使用方法について説明する。図２はホルダ付きバッグ１０に傘３００を保持させた状態を示す斜視図である。尚、図は使用状態を説明するためのものでありバッグ１と傘３００の縮尺は必ずしも同一ではない。利用者がホルダ付きバッグ１０及び傘３００を所持して電車、バス等の乗り物に乗車し、或いは各種施設、店舗、講演会、映画館等を訪れて座席等に座ったとする。このとき、利用者はホルダ付きバッグ１０の一方側の側面を膝の上に載せて図１に示すように底面１１が垂直状態となるようにする。次に、利用者は、ベルト保持具４から第二の面ファスナー５を引き剥がして保持ベルト６の他端を自由にする。そして、利用者は傘３００を底面１１の中央部に当接させ、その状態のまま傘３００を押さえるようにして保持ベルト６の他端をベルト保持具４に押し当て、第二の面ファスナー５をベルト保持具４に密着させる。これにより、傘３００は保持ベルト６と底面１１との間に安定に保持され、従来のように傘３００が左右に動くことはない。
【００２１】
また、ベルト保持具４から第二の面ファスナー５を引き剥がすことなく傘３００を収納することも可能である。この場合、保持ベルト６の高さより傘３００の先端を高くし、この状態で保持ベルト６と底面１１の間に傘３００の先端を差し込み、そのまま下降させればよい。尚、上記説明では傘３００が長傘であるとしたが、伸ばした状態の折りたたみ傘であっても上述した方法によって収納することができる。
【００２２】
利用者が乗り物から下車するとき或いは各種施設、店舗等から出るときには、利用者は第二の面ファスナー５を第一の面ファスナー３から引き剥がして保持ベルト６の他端を自由な状態として傘３００を取り出し、その後に保持ベルト６の第二の面ファスナー５をベルト保持具４の第一の面ファスナー３に押し当てて保持ベルト６の他端をベルト保持具４に密着させる。尚、電車内等のように傘３００を引き上げることで他人の迷惑になりそうなときや、上方に傘３００を抜き位置まで引き上げるだけの空間がないとき等の場合には保持ベルト６を保持具４から離脱させることなく保持ベルト６から傘３００を引き抜いてもよい。
【００２３】
次に、ホルダ２０が図３（ａ）に示す構成の場合の使用方法について説明する。まず、利用者はバッグ本体１の側面を上にして膝の上に横置きにした後、ホック１４からスナップ１５を引き離し、保持ベルト６の他端を自由にする。そして、利用者は傘３００を底面１１の中央部に当接させ、その状態のまま傘３００を抑えるようにしながらスナップ１５をホック１４に結合させる。これにより、傘３００は保持ベルト６と底面１１との間に安定に保持される。また、ホック１４とスナップ１５を結合したまま保持ベルト６と底面１１との間の隙間に傘３００の先端を上方から挿入し、そのまま下降させて保持させてもよい。
【００２４】
図３（ａ）に示すホルダ付バッグ１０の使用において、利用者が電車等から下車する場合、保持ベルト６のスナップ１５をホック１４から外して保持ベルト６の他端を自由にして傘３００を取り出し、その後にスナップ１５をホック１４に嵌め込むようにする。尚、保持ベルト６のスナップ１５をホック１４から外さずに傘３００を上方へ引き抜いてもよい。
【００２５】
次に、ホルダ２０が図３（ｂ）に示す構成のホルダ付バッグ１０について使用方法を説明する。この場合、利用者はバッグ本体１の側面を上にして膝の上に横置きにした後、ゴムベルト１６と底面１１の間に傘３００の先端を上方から挿入し、そのまま下降させれば傘３００をゴムベルト１６と底面１１との間に保持させることができる。そして、電車等から下車する場合、利用者は傘３００をゴムベルト１６と底面１１の間から上方へ引き上げ、その先端がゴムベルト１６の上縁から抜ければ、傘３００の取り外しが完了する。
【００２６】
［実施形態の効果］
本実施形態に係るホルダ付きバッグによれば、バッグ本体１の底面１１にベルト保持具４、第一，第二の面ファスナー３，５及び保持ベルト６からなるホルダ２０、或いは、図３に示す構成のホルダ２０を設けたことにより、ホルダ付きバッグ１０単体によって傘３００を保持することができ、且つ、傘を安定に保持することがきるという効果がある。
【００２７】
また、ホルダ２０がバッグ１０と一体であるため、従来のように傘収納保持袋の持参を忘れて外出することがなくなるという効果、及び傘収納部をバッグに取り付けるためのベルト（例えば、図４に示すベルト１０４ａ，１０４ｂ）を必要としないのでバッグの側面の長さに応じて長さ調整をする必要がないという効果がある。
【００２８】
以上のように、本考案の好ましい実施形態について詳述したが、本考案は係る特定の実施形態に限定されるものではなく、実用新案登録請求の範囲に記載された本考案の要旨の範囲内において、種々の変形・変更が可能であることはいうまでもない。例えば、底面１１に設けたホルダ２０を２列設ける構成としてもよい。
【００２９】
また、保持する対象は傘３００に限らず、例えば、「杖」、「ゴルフクラブ」、「バット」などの長尺物を保持する場合にも使用できることはいうまでもない。
【符号の説明】
【００３０】
１      バッグ本体
２ａ    把手
２ｂ    把手
３      第一の面ファスナー
４      ベルト保持具
５      第二の面ファスナー
６      保持ベルト
１０      ホルダ付きバッグ
１１      底面
１２ａ    補強ベルト
１２ｂ    補強ベルト
１３      底鋲
１４      ホック
１５      スナップ
１６      ゴムベルト
２０      ホルダ
３００    傘
【図１】
0003165787.tif 000003
【図２】
0003165787.tif 000004
【図３】
0003165787.tif 000005
【図４】
0003165787.tif 000006